(57)【要約】【課題】車椅子に乗った人が便器に移乗し易いように便器本体の向きを調整できる回転便器を提供する。【解決手段】便器本体と水平回転する回転用台座から構成する。回転用台座は回転部、固定部、スラストベアリング、スイベルジョイント、駆動モータとで構成する。回転部は便器本体を載せる回転円板の下面側に大径歯車を取り付けて構成し、固定部は基台円板と４本支柱で水平支持した円形リング状台とで構成する。円形リング形状のスラストベアリングの上板に回転円板を、下板に円形リング状台板を固定し、固定部に固定した駆動モータの小径歯車で大径歯車を回転させて便器本体を水平回転させる。回転円板中央と基台円板中央との間にスイベルジョイントを取り付け、便器本体の排水をスイベルジョイントを通過してスイベルジョイントの下側から排出させる。【選択図】図１
2017036649.tif 000002
【特許請求の範囲】
【請求項１】
水平回転させることのできる回転便器であって、該回転便器は便器本体と、該便器本体を載せて水平回転する便器回転用台座からなり、
該便器回転用台座は回転部と固定部と、両者間に取りつけたスラストベアリング及びスイベルジョイントと、駆動モータとで構成され、
前記回転部は回転円板と大径歯車からなり、回転円板は上面に前記便器本体を載せるもので中央には前記スイベルジョイントの上方側フランジを固定する丸穴が形成され、前記大径歯車は前記スイベルジョイントの本体部を通過させる穴のある歯車で前記回転円板の下面側に前記丸穴と同芯に固定されており、
前記固定部は基台円板と円形リング状台板からなり、基台円板の中央には前記スイベルジョイントの下方側フランジを固定する丸穴が形成され、円形リング状台板は基台円板上に立設した４本支柱により水平支持されており、
前記スラストベアリングは円形リング形状で、リング状上板とリング状下板との間に鋼球を配してリング状上板がリング状下板に対して同芯で水平回転可能に構成されており、リング状下板には前記固定部の円形リング状台板が固定され、リング状上板には前記回転部の回転円板が固定されて回転部が固定部に対して水平回転可能とされており、
前記スイベルジョイントは相対回転部間で流体を案内する継手で、円筒状本体部の上方側フランジを前記回転円板の丸穴に、下方側フランジを前記基台円板の丸穴に固定して取りつけられ、上方側フランジには前記便器本体の排水管のフランジが固定されて便器本体が排出する排水がスイベルジョイントを通過して下方側フランジから排出されるように構成されており、
前記駆動モータは前記固定部の基台円板上に固定され、その出力軸に取りつけた小径歯車にて前記大径歯車を回転させることにより前記便器本体を載せた回転部を水平回転させるように構成されていることを特徴とする回転便器。
【請求項２】
便器本体を上面に固定して水平回転させるための便器回転用台座であって、該便器回転用台座は回転部と固定部と、両者間に取りつけたスラストベアリング及びスイベルジョイントと、駆動モータとで構成され、
前記回転部は回転円板と大径歯車からなり、回転円板は上面に前記便器本体を載せるもので中央には前記スイベルジョイントの上方側フランジを固定する丸穴が形成され、前記大径歯車は前記スイベルジョイントの本体部を通過させる穴のある歯車で前記回転円板の下面側に前記丸穴と同芯に固定されており、
前記固定部は基台円板と円形リング状台板からなり、基台円板の中央には前記スイベルジョイントの下方側フランジを固定する丸穴が形成され、円形リング状台板は基台円板上に立設した４本支柱により水平支持されており、
前記スラストベアリングは円形リング形状で、リング状上板とリング状下板との間に鋼球を配してリング状上板がリング状下板に対して同芯で水平回転可能に構成されており、リング状下板には前記固定部の円形リング状台板が固定され、リング状上板には前記回転部の回転円板が固定されて回転部が固定部に対して水平回転可能とされており、
前記スイベルジョイントは相対回転部間で流体を案内する継手で、円筒状本体部の上方側フランジを前記回転円板の丸穴に、下方側フランジを前記基台円板の丸穴に固定して取りつけられ、スイベルジョイントの上方側フランジに流入した便器本体の排水はスイベルジョイント内を通過して下方側フランジから流出するように構成されており、
前記駆動モータは前記固定部の基台円板上に固定され、その出力軸に取りつけた小径歯車にて前記大径歯車を回転させることにより前記回転部を水平回転させるように構成されていることを特徴とする便器回転用台座。
【発明の詳細な説明】
【技術分野】
【０００１】
本発明は、トイレの水洗便器全体を水平回転させることのできる回転便器に関する。
【背景技術】
【０００２】
近年、高齢者や身体不自由な人、車椅子に乗った人が利用するための専用トイレルームが各所に設置されるようになった。しかし、車椅子に乗った人が便器に移乗するのは簡単ではない。多くの場合、便器の向きは車椅子の方を向いているため移乗するには身体の方向を反転させて着座する必要があり、身障者や介護者には負担が大きい。この場合に便器の向きを自由に変えることができれば、移乗の負担は軽減される。また、便座から車椅子に戻る際の負担も軽減され、狭いトイレルーム内で車椅子の向きを変える負担も少なくなる。
【０００３】
こうした問題を解決するため、例えば特許文献１にはブレーキ付きの回転便器が提案されている。しかし、この回転便器はグラファイト加工された平滑面を有する土台に回転便器を嵌め込んだだけの構成であるため、手動で便器を回転させる必要がある。手動で便器を回転させるのは車椅子に乗った人には容易でなく、介護者の手助けを必要とする問題がある。
【先行技術文献】
【特許文献】
【０００４】
【特許文献１】特開２００３−１４７８４２号公報
【発明の概要】
【発明が解決しようとする課題】
【０００５】
本発明は、従来技術のこうした問題点を解決するためになされたもので、その課題は車椅子に乗った人でも容易に水平回転させることのできる回転便器を提供することにある。
【課題を解決するための手段】
【０００６】
前記課題を解決するための請求項１に記載の発明は、水平回転させることのできる回転便器であって、該回転便器は便器本体と、該便器本体を載せて水平回転する便器回転用台座からなり、該便器回転用台座は回転部と固定部と、両者間に取りつけたスラストベアリング及びスイベルジョイントと、駆動モータとで構成され、前記回転部は回転円板と大径歯車からなり、回転円板は上面に便器本体を載せるもので中央にはスイベルジョイントの上方側フランジを固定する丸穴が形成され、大径歯車はスイベルジョイントの本体部を通過させる穴のある歯車で回転円板の下面側に前記丸穴と同芯に固定されており、前記固定部は基台円板と円形リング状台板からなり、基台円板の中央にはスイベルジョイントの下方側フランジを固定する丸穴が形成され、円形リング状台板は基台円板上に立設した４本支柱により水平支持されており、前記スラストベアリングは円形リング形状で、リング状上板とリング状下板との間に鋼球を配してリング状上板がリング状下板に対して同芯で水平回転可能に構成されており、リング状下板には前記固定部の円形リング状台板が固定され、リング状上板には前記回転部の回転円板が固定されて回転部が固定部に対して水平回転可能とされており、前記スイベルジョイントは相対回転部間で流体を案内する継手で、円筒状本体部の上方側フランジを前記回転円板の丸穴に、下方側フランジを前記基台円板の丸穴に固定して取りつけられ、上方側フランジには便器本体の排水管のフランジが固定されて便器本体が排出する排水がスイベルジョイントを通過して下方側フランジから排出されるように構成されており、前記駆動モータは前記固定部の基台円板上に固定され、その出力軸に取りつけた小径歯車にて前記大径歯車を回転させることにより便器本体を載せた回転部を水平回転させるように構成されていることを特徴とする回転便器である。
【０００７】
このような構成によれば、押し釦スイッチにより駆動モータへの電源のオン／オフ、回転方向選択の操作を行なうことにより便器本体を任意の回転位置まで回転させて停止させることができる。この操作は高齢者や身体不自由な人、車椅子に乗った人、介護者でも簡単にできるため、移乗しやすい位置まで回転させることで便器への移乗がし易くなる効果を発揮する。
【０００８】
また、請求項２に記載の発明は、便器本体を上面に固定して水平回転させるための便器回転用台座であって、該便器回転用台座は回転部と固定部と、両者間に取りつけたスラストベアリング及びスイベルジョイントと、駆動モータとで構成され、回転部は回転円板と大径歯車からなり、回転円板は上面に便器本体を載せるもので中央にはスイベルジョイントの上方側フランジを固定する丸穴が形成され、大径歯車はスイベルジョイントの本体部を通過させる穴のある歯車で回転円板の下面側に前記丸穴と同芯に固定されており、前記固定部は基台円板と円形リング状台板からなり、基台円板の中央にはスイベルジョイントの下方側フランジを固定する丸穴が形成され、円形リング状台板は基台円板上に立設した４本支柱により水平支持されており、前記スラストベアリングは円形リング形状で、リング状上板とリング状下板との間に鋼球を配してリング状上板がリング状下板に対して同芯で水平回転可能に構成されており、リング状下板には前記固定部の円形リング状台板が固定され、リング状上板には前記回転部の回転円板が固定されて回転部が固定部に対して水平回転可能とされており、前記スイベルジョイントは相対回転部間で流体を案内する継手で、円筒状本体部の上方側フランジを前記回転円板の丸穴に、下方側フランジを前記基台円板の丸穴に固定して取りつけられ、スイベルジョイントの上方側フランジに流入した便器本体の排水はスイベルジョイント内を通過して下方側フランジから流出するように構成されており、前記駆動モータは前記固定部の基台円板上に固定され、その出力軸に取りつけた小径歯車にて前記大径歯車を回転させることにより前記回転部を水平回転させるように構成されていることを特徴とする便器回転用台座である。
【０００９】
このような便器回転用台座を使用すれば、その上に水洗式便器本体を取りつけることによりその回転停止位置を任意に調整できる。便器からの排水も台座下側に排出させることができる。
【図面の簡単な説明】
【００１０】
【図１】本発明に係る回転便器１の外観図である。
【図２】便器回転用台座２の外観斜視図である。
【図３】便器回転用台座２の分解斜視図である。
【図４】便器回転用台座２の片側断面図である。
【図５】スラストベアリング１０の断面図である。
【図６】スイベルジョイント６の片側断面図である。
【発明を実施するための形態】
【００１１】
以下、本発明に係る回転便器１及び便器回転用台座２の一実施形態について図面を参照して説明する。図１は本発明に係る回転便器１の外観図、図２はその回転便器１で使用している便器回転用台座２の外観斜視図、図３は便器回転用台座２の分解斜視図、図４は便器回転用台座２の片側断面図である。
【００１２】
図１に示すように回転便器１は水洗式の便器本体３と、それを載せて水平回転する便器回転用台座２から構成される。便器本体３から排出される排水は、便器本体３の排水管４から便器回転用台座２の中央に取り付けたスイベルジョイント６を通って固定側の図示しない排水管に流れ込むように構成されている。便器本体３への洗浄水の供給は、図示しないフレキシブルホースで行なう。
【００１３】
図３の分解斜視図に示すように、便器回転用台座２は上からスイベジョイント６の上方側部品６ａ、回転円板７、大径歯車８、駆動モータ９、スラストベアリング１０、円形リング状台板１１、４本の支柱１２、基台円板１３、スイベルジョイント６の下方側部品６ｂを備えて構成されている。このうち回転円板７、大径歯車８が水平回転する回転部１５を構成し、円形リング状台板１１、４本の支柱１２、基台円板１３が固定部１６を構成する。回転部１５と固定部１６との間にはスラストベアリング１０とスイベルジョイント６が取りつけられている。
【００１４】
回転部１５の回転円板７は上面に便器本体３を固定するための円板で、中央にはスイベルジョイント１０の本体部を通過させる大きさの丸穴７ａが形成されている。スイベルジョイント６の上方側部品６ａは、丸穴７ａに本体部に通した状態で上方側フランジを回転円板７上面側にボルト固定して取り付けられている。回転円板７の下面側には、スイベルジョイント１０の本体部を通過させる大きさの穴のある大径歯車８が丸穴７ａに同芯にボルト固定されている。
【００１５】
固定部１６は、円形リング状台板１１を基台円板１３上面に立設した４本の支柱１２で水平支持して構成されている。基台円板１３の中央にはスイベルジョイント１０の下方側部品６ｂを取り付ける丸穴１３ａが形成されており、その丸穴１３ａ上面側にスイベルジョイント１０の下方側フランジをボルト固定して下方側部品６ｂを取りつける。
【００１６】
回転部１５の下面側と固定部１６の上面側との間には、円形リング形状のスラストベアリング１０が取りつけてある。スラストベアリングは回転体の軸方向に働く力（スラスト）を受け止める軸受けとして産業機器に広く使用されている軸受けである。本実施形態の便器回転用台座２に使用しているスラストベアリング１０は円形リング形状で、図５はそのベアリング部の断面図である。円形リング状の上板１０ａと円形リング状の下板１０ｂとの間に鋼球１０ｃを転動可能に取りつけ、上板１０ａが下板１０ｂに対して回転可能とされている。上板１０ａと下板１０ｂとが外れないように、それぞれの端部にはコ状の折り曲げ部１０ｄを形成してかみ合わせてある。リング状上板１０ａには回転部１５の回転円板７が固定され、リング状下板１０ｂには固定部１６の円形リング状台板１１が固定される。これにより回転部１５は固定部１６に対して水平回転する。
【００１７】
図６はスイベルジョイント６の片側断面図である。スイベルジョイントは相対回転部間で流体を案内する継手として産業機器に広く使用されている継手である。スイベルジョイント６の上方側部品６ａのフランジを回転部１５の回転円板７の丸穴７ａに、下方側部品６ｂのフランジを固定部１６の基台円板１３の丸穴１３ａに固定して取りつけてある。上方側部品６ａ、下方側部品６ｂの本体部は共に円筒状で、下方側部品６ｂの外側に上方側部品６ａが回転摺動可能に外嵌され、両者の摺動部には流体の漏洩を防ぐためのシール材１８が取り付けられている。上方側フランジには便器本体３の排水管のフランジが固定され、便器本体３から排出された排水はスイベルジョイント６を通過して下方側フランジから図示しない固定側排水管に排出される。
【００１８】
駆動モータ９は固定部１６の基台円板１３上に固定されており、その出力軸に取りつけた小径歯車９ａは回転部１５の回転円板７下面に取り付けた大径歯車８と噛合させてある。駆動モータ９を回転させると小径歯車９ａが大径歯車８を回転させ、その回転により回転円板７は回転し、その回転円板７上に取り付けられた便器本体が水平回転する。
【００１９】
以上説明した本実施形態の回転便器１は、水洗式の便器本体３が駆動モータ９で水平回転する便器回転用台座２上に設置されており、押し釦スイッチにより駆動モータ９への電源のオン／オフ、回転方向選択の操作を行なうことにより便器本体３を任意の回転位置まで回転させて停止させることができる。この操作は高齢者や身体不自由な人、車椅子に乗った人、介護者でも簡単にできるため、移乗しやすい位置まで回転させることで便器への移乗がし易くなる効果を発揮する。
【符号の説明】
【００２０】
図面中、１は回転便器、２は便器回転用台座、３は便器本体、６はスイベルジョイント、７は回転円板、７ａは丸穴、８は大径歯車、９は駆動モータ、９ａは小径歯車、１０はスラストベアリング、１０ａはリング状上板、１０ｂはリング状下板、１０ｃは鋼球、１１は円形リング状台板、１３は基台円板、１３ａは丸穴、１４は支柱、１５は回転部、１６は固定部を示す。
【図１】
2017036649.tif 000003
【図２】
2017036649.tif 000004
【図３】
2017036649.tif 000005
【図４】
2017036649.tif 000006
【図５】
2017036649.tif 000007
【図６】
2017036649.tif 000008